(57)【特許請求の範囲】
【請求項１】
容器本体の開口部に蓋体を着脱可能にする容器において、
蓋体が、容器本体の開口部に着脱される外枠と、外枠の枠内に保持される天面窓シートとを有し、
外枠は、複数の枠辺を連ねて角形の環状をなす額縁部を形成し、各枠辺が外側水平板、外側立下り板、内側立上り板、内側水平板を順に折曲げ、外側水平板の内側に内側水平板を重ね合せ、外側立下り板の内側に内側立上り板を重ね合せてなり、各枠辺が外側水平板と内側水平板の重ね合せ部の隙間により水平挟み込み溝を形成し、
天面窓シートが、外枠の額縁部の内部に配置される窓面部を有し、窓面部が外枠の額縁部の内方に向けて陥入する凹状をなすとともに、窓面部の外周に平板状外縁部のみが設けられ、平板状外縁部が外枠の額縁部を形成していて相対する枠辺の各水平挟み込み溝にスライドされて差し込まれることにより挟み込み保持されてなることを特徴とする容器。
【請求項２】
容器本体の開口部に蓋体を着脱可能にする容器において、
蓋体が、容器本体の開口部に着脱される外枠と、外枠の枠内に保持される天面窓シートとを有し、
外枠は、複数の枠辺を連ねて角形の環状をなす額縁部を形成し、各枠辺が外側水平板、外側立下り板、内側立上り板、内側水平板を順に折曲げ、外側水平板の内側に内側水平板を重ね合せ、外側立下り板の内側に内側立上り板を重ね合せてなり、各枠辺が外側水平板と内側水平板の重ね合せ部の隙間により水平挟み込み溝を形成し、
天面窓シートが、外枠の額縁部の内部に配置される窓面部を有し、窓面部が外枠の額縁部の外方に向けて突出する凸状をなすとともに、窓面部の外周に平板状外縁部のみが設けられ、平板状外縁部が外枠の額縁部を形成していて相対する枠辺の各水平挟み込み溝にスライドされて差し込まれることにより挟み込み保持されてなることを特徴とする容器。
【請求項３】
前記天面窓シートが透明材料からなる請求項１又は２に記載の容器。
【発明の詳細な説明】
【技術分野】
【０００１】
本発明は、容器に関する。
【背景技術】
【０００２】
容器として、特許文献１又は特許文献２に記載のものがある。
特許文献１に記載の容器は、内容物を外から視認可能にするように、天板に設けた窓に透明フィルムからなる天面窓シートを張ったものである。
【０００３】
特許文献２に記載の容器は、外観性を良くするように、蓋体を構成する外枠の枠内の上下に各ドーナツ状の受板と押え板を係着し、ドーム状をなして外方に膨出する天面部材を受板と押え板との間に挟み付け保持するものである。
【先行技術文献】
【特許文献】
【０００４】
【特許文献１】特開2001-301751
【特許文献２】実登3138492
【発明の概要】
【発明が解決しようとする課題】
【０００５】
特許文献１に記載の容器では、天面窓シートを天板の窓に張るための接着工程が必要になる。
【０００６】
特許文献２に記載の容器では、天面部材を外枠の枠内に設けるために、接着しないものの、受板と押え板の別部材を必要とし、部品点数が多く、コスト高になる。
【０００７】
本発明の課題は、蓋体の天面窓シートを外枠の枠内に簡易に設けることにある。
【課題を解決するための手段】
【０００８】
請求項１に係る発明は、容器本体の開口部に蓋体を着脱可能にする容器において、蓋体が、容器本体の開口部に着脱される外枠と、外枠の枠内に保持される天面窓シートとを有し、外枠は、複数の枠辺を連ねて角形の環状をなす額縁部を形成し、各枠辺が外側水平板、外側立下り板、内側立上り板、内側水平板を順に折曲げ、外側水平板の内側に内側水平板を重ね合せ、外側立下り板の内側に内側立上り板を重ね合せてなり、各枠辺が外側水平板と内側水平板の重ね合せ部の隙間により水平挟み込み溝を形成し、天面窓シートが、外枠の額縁部の内部に配置される窓面部を有し、窓面部が外枠の額縁部の内方に向けて陥入する凹状をなすとともに、窓面部の外周に平板状外縁部のみが設けられ、平板状外縁部が外枠の額縁部を形成していて相対する枠辺の各水平挟み込み溝にスライドされて差し込まれることにより挟み込み保持されてなるようにしたものである。
【０００９】
請求項２に係る発明は、容器本体の開口部に蓋体を着脱可能にする容器において、蓋体が、容器本体の開口部に着脱される外枠と、外枠の枠内に保持される天面窓シートとを有し、外枠は、複数の枠辺を連ねて角形の環状をなす額縁部を形成し、各枠辺が外側水平板、外側立下り板、内側立上り板、内側水平板を順に折曲げ、外側水平板の内側に内側水平板を重ね合せ、外側立下り板の内側に内側立上り板を重ね合せてなり、各枠辺が外側水平板と内側水平板の重ね合せ部の隙間により水平挟み込み溝を形成し、天面窓シートが、外枠の額縁部の内部に配置される窓面部を有し、窓面部が外枠の額縁部の外方に向けて突出する凸状をなすとともに、窓面部の外周に平板状外縁部のみが設けられ、平板状外縁部が外枠の額縁部を形成していて相対する枠辺の各水平挟み込み溝にスライドされて差し込まれることにより挟み込み保持されてなるようにしたものである。
【００１０】
請求項３に係る発明は、請求項1又は２に係る発明において更に、前記天面窓シートが透明材料からなるようにしたものである。
【発明の効果】
【００１２】
（請求項１、２）
(a)「（天面窓シートが）窓面部の外周に平板状外縁部のみが設けられ、平板状外縁部が外枠の額縁部を形成していて相対する枠辺の各水平挟み込み溝にスライドされて差し込まれることにより挟み込み保持されてなる。」（構成Ａ）を具備することにより、天面窓シートの相対する「平板状外縁部」の各先端を外枠に相対して形成されている「水平挟み込み溝」のそれぞれにスムースに挿入し、それらの「平板状外縁部」をそれらの「水平挟み込み溝」に対し簡易確実にスライドさせて差し込みできる。外枠への天面窓シートの組付性が良い。
【００１３】
（請求項１）
(b)「（天面窓シートの）窓面部が外枠の額縁部の内方に向けて陥入する凹状をなす」（構成Ｂ）を具備することにより、天面窓シートの「平板状外縁部」を外枠の「水平挟み込み溝」にスライドさせていく差し込み終了段階で、天面窓シートの凹状部の上記内方への出張り状周縁部がスライド方向で相対することとなる枠辺の内側水平板に突き当たって、天面窓シートの差し込み限位置が規定される。外枠への天面窓シートの組付性を一層向上できる。
また、天面窓シートの凹状部が、該シートの板厚を厚くしなくてもその剛性を高くし、該シートの外力に対する耐圧強度等を向上できる。
また、天面窓シートの凹状部の外観が、外枠の額縁部の外観と調和して、蓋体の外観性を向上できる。
【００１４】
（請求項２）
(c)「（天面窓シートの）窓面部が外枠の額縁部の外方に向けて突出する凸状をなす」（構成Ｃ）を具備することにより、天面窓シートの「平板状外縁部」を外枠の「水平挟み込み溝」にスライドさせていく差し込み終了段階で、天面窓シートの凸状部の上記外方への出張り状周縁部がスライド方向で相対することとなる枠辺の外側水平板に突き当たって、天面窓シートの差し込み限位置が規定される。外枠への天面窓シートの組付性を一層向上できる。
また、天面窓シートの凸状部が、該シートの板厚を厚くしなくてもその剛性を高くし、該シートの外力に対する耐圧強度等を向上できる。
また、天面窓シートの凸状部の外観が、外枠の額縁部の外観と調和して、蓋体の外観性を向上できる。
【００１６】
（請求項３）
(d)天面窓シートが透明材料からなることにより、内容物の視認性を向上できる。
【図面の簡単な説明】
【００１７】
【図１】図１は容器の一実施例を示す斜視図である。
【図２】図２は容器を示す断面図である。
【図３】図３は蓋体の外枠のブランクシートを示す展開図である。
【図４】図４は蓋体の天面窓シートを示し、（Ａ）は斜視図、（Ｂ）は断面図である。
【図５】図５は蓋体の組立過程を示す斜視図である。
【図６】図６は容器の変形例を示す斜視図である。
【図７】図７は容器を示す断面図である。
【発明を実施するための形態】
【００１８】
図1、図２に示した容器１は、基本的には糊付けを用いない紙箱であり、容器本体１０の開口部１０Ａに蓋体２０を着脱可能にしたものである。
【００１９】
容器本体１０は、図２に示す如く、１枚の例えば板紙（プラスチックシート、金属シートでも可）からなるブランクシートを構成する底板１１と側板１２を折曲げて組立てた四角箱状をなし、４個の側板１２の上縁部によって開口部１０Ａを囲み形成している。
【００２０】
蓋体２０は、図２に示す如く、容器本体１０の開口部１０Ａに着脱される外枠３０と、外枠３０の枠内に保持される天面窓シート４０とを有する。
【００２１】
外枠３０は、図３に示す如く、１枚の例えば板紙（プラスチックシート、金属シートでも可）からなるブランクシートを構成する４個の枠辺３１を連ねて四角形の環状をなす額縁部３０Ａを形成する。各枠辺３１は、外側水平板３１Ａ、外側立下り板３１Ｂ、内側立上り板３１Ｃ、内側水平板３１Ｄを順に連設している。そして、相隣る枠辺３１の間で、長辺をなす枠辺３１の外側水平板３１Ａと短辺をなす枠辺３１の外側水平板３１Ａとは直結され、長辺をなす枠辺３１の外側立下り板３１Ｂと短辺をなす枠辺３１の外側立下り板３１Ｂとは折込フラップ３１Ｅによって連結されている。また、相対して長辺をなす各枠辺３１の内側立上り板３１Ｃの両端には延長フラップ３１Ｆが設けられている。
【００２２】
これにより、外枠３０は、各枠辺３１が後に詳述する如くにして、外側水平板３１Ａ、外側立下り板３１Ｂ、内側立上り板３１Ｃ、内側水平板３１Ｄを順に折曲げ、外側水平板３１Ａの内側に内側水平板３１Ｄを重ね合せ、外側立下り板３１Ｂの内側に内側立上り板３１Ｃを重ね合せて額縁部３０Ａを形成する。この額縁部３０Ａの形成段階で、各枠辺３１は外側水平板３１Ａと内側水平板３１Ｄの重ね合せ部の隙間により挟み込み溝３２を形成するものになる。
【００２３】
天面窓シート４０は、図４に示す如く、加熱軟化させた透明プラスチックシート（ＰＥＴ等）を例えば真空成形（圧空成形又はプレス成形でも可）することにより成形され、外枠３０の額縁部３０Ａの内部に配置される窓面部４１と、窓面部４１の外周に設けられて外枠３０の額縁部３０Ａを形成している各枠辺３１の挟み込み溝３２に挟み込まれ保持されて環状をなす外縁部４２とを有している。天面窓シート４０は、例えば上述の如くの透明材料からなり、窓面部４１が外枠３０の額縁部３０Ａの内方に向けて陥入する凹状部４１Ａを有し、外縁部４２が該額縁部３０Ａの挟み込み溝３２に挿入される平板状をなす。
【００２４】
容器１は、図１に示す如く、外枠３０における額縁部３０Ａの挟み込み溝３２に挟み込まれ保持された天面窓シート４０の外面側において、しおり等の飾り物５０の両端部を該額縁部３０Ａの挟み込み溝３２に差し込み保持させることもできる。飾り物５０としては、図１の（Ａ）〜（Ｃ）に示す各種形態を採用できる。
【００２５】
以下、蓋体２０の組立構造について詳述する。
(1)外枠３０の相対して長辺をなす２つの枠辺３１と、短辺をなす１つの枠辺３１において、挟み込み溝３２を以下の如くに形成する。
【００２６】
まず、長辺をなす２つの枠辺３１のそれぞれにおいて、外側水平板３１Ａ、外側立下り板３１Ｂ、内側立上り板３１Ｃ、内側水平板３１Ｄを順に折曲げ、外側水平板３１Ａの内側に内側水平板３１Ｄを重ね合せ、外側立下り板３１Ｂの内側に内側立上り板３１Ｃを重ね合せる。このとき、各枠辺３１の内側立上り板３１Ｃに設けられている延長フラップ３１Ｆを、短辺をなす１つの枠辺３１に沿うように、該内側立上り板３１Ｃに直交する方向に折り曲げる。
【００２７】
次に、短辺をなす１つの枠辺３１において、該枠辺３１の外側立下り板３１Ｂの両端部と長辺をなす２つの枠辺３１の各外側立下り板３１Ｂの端部とを連結している各折込フラップ３１ＥをＶ字状をなす如くに折込み、当該枠辺３１の外側水平板３１Ａ、外側立下り板３１Ｂ、内側立上り板３１Ｃ、内側水平板３１Ｄを上記折込フラップ３１Ｅ及び延長フラップ３１Ｆのまわりで順に折曲げ、外側水平板３１Ａの内側に内側水平板３１Ｄを重ね合せ、外側立下り板３１Ｂの内側に上記折込フラップ３１Ｅ及び延長フラップ３１Ｆを挟んで内側立上り板３１Ｃを重ね合せる。
【００２８】
これにより、外枠３０は、長辺をなす２つの枠辺３１と、短辺をなす１つの枠辺３１からなる３辺の枠辺３１により、額縁部３０Ａのうちのコの字状部分を形成するものになる。３辺の各枠辺３１は、図５（Ａ）に示す如く、外側水平板３１Ａと内側水平板３１Ｄの重ね合せ部の隙間により挟み込み溝３２を形成するものになる。
【００２９】
(2)外枠３０の各枠辺３１が形成する挟み込み溝３２に、天面窓シート４０の外縁部４２を挟み込み保持する。
【００３０】
まず、天面窓シート４０の相対して長辺をなす２つの外縁部４２を、外枠３０の長辺をなす２つの枠辺３１が形成している挟み込み溝３２に、該外枠３０の未だ折り曲げられていない１つの枠辺３１Ａ(短辺)の側からスライドさせて差し込む。天面窓シート４０のこの差し込み終了時に、天面窓シート４０の差し込み先端側に位置して短辺をなす１つの外縁部４２が、外枠３０の短辺をなす１つの枠辺３１が形成している挟み込み溝３２に到達して差し込まれる。これにより、天面窓シート４０の長辺をなす２つの外縁部４２と、短辺をなす１つの外縁部４２からなる３辺の外縁部４２が、額縁部３０Ａのコの字状部分を形成する３辺の各枠辺３１の挟み込み溝３２に挟み込まれ保持される。
【００３１】
次に、外枠３０の未だ折り曲げられていない１つの枠辺３１（短辺）において、該枠辺３１の外側立下り板３１Ｂの両端部と長辺をなす２つの枠辺３１の各外側立下り板３１Ｂの端部とを連結している各折込フラップ３１ＥをＶ字状をなす如くに折込み、当該枠辺３１の外側水平板３１Ａ、外側立下り板３１Ｂ、内側立上り板３１Ｃ、内側水平板３１Ｄを上記折込フラップ３１Ｅ及び延長フラップ３１Ｆのまわりで順に折曲げ、外側水平板３１Ａの内側に天面窓シート４０の差し込み先端に対する反対側に位置して短辺をなす１つの外縁部４２を挟んで内側水平板３１Ｄを重ね合せ、外側立下り板３１Ｂの内側に上記折込フラップ３１Ｅ及び延長フラップ３１Ｆを挟んで内側立上り板３１Ｃを重ね合せる。
【００３２】
これにより、外枠３０は４辺全ての枠辺３１により四角形の額縁部３０Ａを形成し、天面窓シート４０は４辺全ての外縁部４２が額縁部３０Ａの４辺全ての枠辺３１の挟み込み溝３２（各枠辺３１の外側水平板３１Ａと内側水平板３１Ｄの重ね合せ部の隙間により形成される挟み込み溝３２）に挟み込まれ保持されるものになる。
【００３３】
尚、蓋体２０にあっては、外枠３０における額縁部３０Ａの全ての枠辺３１の挟み込み溝３２に、天面窓シート４０の全ての外縁部４２を挟み込み保持した上述の状態で、長辺をなす枠辺３１の内側水平板３１Ｄが短辺をなす枠辺３１の内側水平板３１Ｄの外側に位置付られ、結果として額縁部３０Ａを形成した各枠辺３１の折り曲げ状態を解除可能にロック可能としている。長辺をなす枠辺３１の内側水平板３１Ｄを短辺をなす枠辺３１の内側水平板３１Ｄの外側に位置付ける工程は、天面窓シート４０が挟み込み保持される前の上述(1)の外枠３０における額縁部３０Ａのコの字状部分の形成段階でなされても良い（図５（Ａ））。
【００３４】
また、蓋体２０にあっては、外枠３０の各枠辺３１の外側水平板３１Ａ、外側立下り板３１Ｂ、内側立上り板３１Ｃ、内側水平板３１Ｄの折り曲げ開始段階で、４辺全ての枠辺３１の外側水平板３１Ａの上に天面窓シート４０の外縁部４２を載置した後、それらの外側水平板３１Ａ、外側立下り板３１Ｂ、内側立上り板３１Ｃ、内側水平板３１Ｄを順に折り曲げ、外側水平板３１Ａの内側に天面窓シート４０の外縁部４２を挟んで内側水平板３１Ｄを重ね合せ、外側立下り板３１Ｂの内側に折込フラップ３１Ｅ及び延長フラップ３１Ｆを挟んで内側立上り板３１Ｃを重ね合せても良い。これによっても、外枠３０は、４辺全ての枠辺３１により四角形の額縁部３０Ａを形成し、天面窓シート４０は４辺全ての外縁部４２が額縁部３０Ａの４辺全ての枠辺３１の挟み込み溝３２（各枠辺３１の外側水平板３１Ａと内側水平板３１Ｄの重ね合せ部の隙間により形成される挟み込み溝３２）に挟み込まれ保持されるものになる。
【００３５】
本実施例によれば以下の作用効果を奏する。
(a)蓋体２０を構成する外枠３０は、額縁部３０Ａを形成している各枠辺３１の外側水平板３１Ａ、外側立下り板３１Ｂ、内側立上り板３１Ｃ、内側水平板３１Ｄの折曲げによって、挟み込み溝３２を形成する。そして、蓋体２０を構成する天面窓シート４０は、環状外縁部４２を上記各枠辺３１の挟み込み溝３２に挟み込み保持される。これにより、蓋体２０の天面窓シート４０は、接着剤を用いたり、格別の保持部材を用いることなく、外枠３０の枠内に簡易に設けられる。
【００３６】
蓋体２０を構成する外枠３０が、天面窓シート４０の窓面部４１の周囲に、一定幅の外側水平板３１Ａをもつ額縁部３０Ａを形成する。これにより、容器１の格別な重厚感を引き起こすものになる。
【００３７】
(b)天面窓シート４０の窓面部４１が外枠３０の額縁部３０Ａの内方に向けて陥入する凹状をなすことにより、額縁部３０Ａの外観と凹状部４１Ａの外観が調和して蓋体２０の外観性を一層向上する。
【００３８】
(c)天面窓シート４０が透明材料からなることにより、内容物の視認性を向上できる。
【００３９】
図６、図７に示した蓋体２０が図５に示した蓋体２０と異なる点は、天面窓シート４０の窓面部４１が外枠３０の額縁部３０Ａの外方に向けて突出する凸状部４１Ｂを有するようにしたことにある。
【００４０】
尚、本発明の蓋体２０において、天面窓シート４０の窓面部４１が有する凹状部４１Ａ、凸状部４１Ｂは、矩形状輪郭をなすものに限らず、富士山形状の如くの山形状輪郭等のいかなる形状をなすものでも良い。
【００４１】
また、本発明の蓋体２０にあっては、天面窓シート４０の窓面部４１が透明体からなるものに限らず、半透明体、不透明体からなるものでも良い。
【００４２】
また、本発明の蓋体２０にあっては、外枠３０の各枠辺３１によって形成される額縁部３０Ａが四角形の環状をなすものに限らず、三角形、台形、五角形、六角形等の角形の環状をなすものであれば良い。
【００４３】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００４４】
本発明によれば、蓋体の天面窓シートを外枠の枠内に簡易に設けることができる。
【符号の説明】
【００４５】
１  容器
１０  容器本体
１０Ａ  開口部
２０  蓋体
３０  外枠
３０Ａ  額縁部
３１  枠辺
３１Ａ  外側水平板
３１Ｂ  外側立下り板
３１Ｃ  内側立上り板
３１Ｄ  内側水平板
３２  挟み込み溝
４０  天面窓シート
４１  窓面部
４２  外縁部
【要約】
【課題】  蓋体の天面窓シートを外枠の枠内に簡易に設けること。
【解決手段】  容器本体１０の開口部１０Ａに蓋体２０を着脱可能にする容器１において、蓋体２０が、容器本体１０の開口部１０Ａに着脱される外枠３０と、外枠３０の枠内に保持される天面窓シート４０とを有し、天面窓シート４０が、外枠３０の額縁部３０Ａの内部に配置される窓面部４１と、窓面部４１の外周に設けられて外枠３０の額縁部３０Ａを形成している各枠辺３１の挟み込み溝３２に挟み込まれ保持される環状外縁部４２とを有してなるもの。
【選択図】  図２【図１】
0005629810.tif 000002
【図２】
0005629810.tif 000003
【図３】
0005629810.tif 000004
【図４】
0005629810.tif 000005
【図５】
0005629810.tif 000006
【図６】
0005629810.tif 000007
【図７】
0005629810.tif 000008